(57)【要約】【課題】天板を水平状態にした使用時において、天板下面近傍を含めた目隠しができ、天板を起立状態にしたときは目隠し部材が下方に大きく垂れ下がることがなく、テーブル脚間に改めて横架材を張設する必要のない幕板付き折り畳みテーブルを提供すること。【解決手段】左右に離間する脚支柱４、５に対し天板２下面の両側部を枢着し、この天板２を略水平な使用位置と、略垂直な起立位置との間で回動可能に支持すると共に両脚支柱４、５間に幕板８を架橋し、天板２の下面と幕板８の上部間に補助幕板１５を幕板８に沿って配設することにより、天板２を水平状態にした使用時には補助幕板１５と幕板８で天板２の下方を確実に目隠しでき、天板２を起立状態にしたときにも補助幕板１５が下方に大きく垂れ下がることがなく、幕板８が補強材となるので、両脚支柱４、５間に改めて横架材を張設する必要がない。【選択図】　図２
2004135695.tif 000002
【特許請求の範囲】
【請求項１】
左右に離間する脚支柱に対して天板下面の両側部を枢着して、該天板を略水平な使用位置と、略垂直な起立位置との間で回動可能に支持するとともに、両脚支柱間に幕板を架橋した幕板付き折り畳みテーブルにおいて、
前記天板の下面と前記幕板の上部間に補助幕板が該幕板に沿って配設されていることを特徴とする幕板付き折り畳みテーブル。
【請求項２】
前記補助幕板は、前記天板が略水平な使用位置では、天板と幕板間を伸長状態で閉塞し、前記天板が略垂直な起立位置では、下に凸に屈曲される請求項１に記載の幕板付き折り畳みテーブル。
【請求項３】
前記補助幕板は、布あるいは軟質樹脂体で構成されている請求項１または２に記載の幕板付き折り畳みテーブル。
【請求項４】
前記補助幕板は、略中央部で折曲可能な一対の半硬質体で構成されている請求項１または２に記載の幕板付き折り畳みテーブル。
ーブル。
【請求項５】
前記補助幕板は上部が天板に取付けられ、下部が前記幕板に押圧保持されている請求項１ないし４の何れかに記載の幕板付き折り畳みテーブル。
【請求項６】
前記幕板は上部が天板に設けたブラケットにより、下部が脚支柱に設けたリンク部材に枢着されている請求項１ないし５の何れかに記載の幕板付き折り畳みテーブル。
【発明の詳細な説明】
【０００１】
【発明の属する技術分野】
本発明は、左右に離間する脚支柱に対して天板下面の両側部を枢着して、該天板を略水平な使用位置と、略垂直な起立位置との間で回動可能に支持するとともに、両脚支柱間に幕板を架橋した幕板付き折り畳みテーブルに関する。
【０００２】
【従来の技術】
この種の折り畳みテーブルにおいて、天板を水平状態にした使用時において、テーブルの下を人の視線から隠すために、左右に離間する脚支柱間に幕板を掛け渡すことが一般的に行われている。しかしながら、脚支柱上部には天板を枢着支持するための枢軸やブラケットがあるため幕板の天板下面まで延在して設けることが困難であるため、天板を水平状態にした時に幕板がリンク機構によって天板側に極力近づくようにしたものが知られている（特許文献１，２参照）。
【０００３】
このような幕板を天板側に近づけるようにした特許文献１または２に記載のものにおいても、枢着部材との関係で天板の下面近傍を完全に目隠しできず、しかも不使用時において天板を起立状態にするときに、天板と幕板間に指が挟まれないように、起立状態の天板と幕板間に所定の間隔をあけたものにおいては、天板を水平状態に戻したときに天板と幕板間がより広がり、完全に目隠しするには限界があった。
【０００４】
また、特許文献３には天板の下方空間を完全に目隠しするために布等の可撓性材の目隠し部材を天板から脚下方まで張設した折り畳みテーブルも開発されている。
【０００５】
【特許文献１】
実公昭５６−５４８０３号公報（第１−２頁、第３図、第４図）
【特許文献２】
特開平９−１９１９４４号公報（第２−３頁、図５）
【特許文献３】
特許第３３０６７７７号公報（段落００１８−００２２、図６−９）
【０００６】
【発明が解決しようとする課題】
ところで、上記特許文献３に記載のものは天板の下方空間を完全に目隠しできる点で優れているが、テーブル使用後、天板を起立状態にしたときに可撓性の目隠し部材が下方に大きく垂れ下がることになり体裁が悪いばかりでなく、床にある他の家具類等と干渉する原因にもなる恐れがあった。また目隠し自体に剛性がないためにテーブル脚間に補強のための横架材を張設する必要があった。
【０００７】
本発明は、このような状況に鑑みてなされたもので、天板を水平状態にした使用時において、天板下面近傍を含めた目隠しができ、天板を起立状態にしたときは目隠し部材が下方に大きく垂れ下がることがなく、テーブル脚間に改めて横架材を張設する必要のない幕板付き折り畳みテーブルを提供することを目的とするものである。
【０００８】
【課題を解決するための手段】
上記課題を解決するために、本発明の幕板付き折り畳みテーブルは、左右に離間する脚支柱に対して天板下面の両側部を枢着して、該天板を略水平な使用位置と、略垂直な起立位置との間で回動可能に支持するとともに、両脚支柱間に幕板を架橋した幕板付き折り畳みテーブルにおいて、前記天板の下面と前記幕板の上部間に補助幕板が該幕板に沿って配設されていることを特徴としている。
この特徴によれば、天板を水平状態にした使用時において、補助幕板と幕板でテーブル下方を確実に目隠しでき、天板を起立状態にしたときでも、補助幕板が下方に大きく垂れ下がることがなく、幕板が補強材となるので、テーブル脚間に改めて横架材を張設する必要がない。
【０００９】
本発明の幕板付き折り畳みテーブルにおいて、前記補助幕板は、前記天板が略水平な使用位置では、天板と幕板間を伸長状態で閉塞し、前記天板が略垂直な起立位置では、下に凸に屈曲されることが好ましい。
このようにすれば、天板が略水平な使用位置では補助幕板が伸長状態になっているので、幼児等が背後からテーブルの枢着部に指等を突っ込んで怪我することが阻止でき、天板が略垂直な起立位置では天板と幕板間を塞ぐように下に凸に撓むので、指等を挟む恐れがない。
【００１０】
本発明の幕板付き折り畳みテーブルにおいて、前記補助幕板は、布あるいは軟質樹脂体で構成されていることが好ましい。
このようにすれば、全体が軽量になるとともに、天板が略水平な位置より略垂直な位置になる時に、屈曲しやすい。
【００１１】
本発明の幕板付き折り畳みテーブルにおいて、前記補助幕板は、略中央部で折曲可能な一対の半硬質体で構成されていることが好ましい。
このようにすれば、補助幕板として半硬質のものを使用することで、水平状態の使用時に折り畳みテーブルの強度補強に寄与できる。
【００１２】
本発明の幕板付き折り畳みテーブルにおいて、前記補助幕板は上部が天板に取付けられ、下部が前記幕板に押圧保持されていることが好ましい。
このようにすれば、補助幕板を常に平板状態に保つことかできるので、硬質板も使用可能である。
【００１３】
本発明の幕板付き折り畳みテーブルにおいて、前記幕板は上部が天板に設けたブラケットにより、下部が脚支柱に設けたリンク部材に枢着されていることが好ましい。
このようにすれば、既存のリンク部材により幕板が移動する折り畳みテーブルにおいても、補助幕板を取り付けるだけで、容易に改造できる。
【００１４】
【発明の実施の形態】
以下、本発明の実施例を図面に基づいて説明する。
【００１５】
図１〜図４は本発明の第１実施形態を示すもので、図１は幕板付き折り畳みテーブルの部分分解斜視図、図２は水平状態に設定された幕板付き折り畳みテーブルの全体斜視図、図３は起立状態に折り畳まれた幕板付き折り畳みテーブルの全体斜視図であり、図４は起立状態に折り畳まれた状態で前後に重ねて収容される状態を示す側面図である。
【００１６】
図１、図２において、符号１は折り畳みテーブルを示しており、この折り畳みテーブル１は、左右に離間する一対の脚支柱４、５の上端に天板２が揺動可能に枢着されて水平に保持されており、この天板２は、その下面に設けられたブラケット６の枢着部Ｐを中心として揺動することで、水平状態と起立状態をとることができるようになっている。
【００１７】
両脚支柱４、５は、左右対称構造に構成されているため、ここでは、便宜的に一方の脚支柱５に付いて説明するが、後方に傾斜する直線状の脚杆５ａと下方が前方に折曲した折曲脚杆５ｂの平行な上部直線部分を一体的に溶接接合し、それらの下端にキャスタ７が装着されている。
【００１８】
両脚支柱４、５間の後方側面中央部には、所定厚味に形成された横長矩形状の幕板８が、その両端内側に折曲した取付片１０ａ、１０ｂを介して止めネジ１２により止着されており、止着された状態の幕板８の上端と天板２下面との間には所定の隙間が形成されており、この隙間を塞ぐ補助幕板１５（後述する）を取付けるために、幕板８上端縁の左右に一対のフック１４が離間して突設している。
【００１９】
補助幕板１５は、軟質樹脂板またはクロス材により横長矩形状に形成されて、その上端縁が複数の取付ネジ１８を介して天板２後端下面に止着されるとともに、下端縁の左右に形成される一対の係止部１６は幕板８上端のフック１４とそれぞれ係合し、天板２が水平状態にあるときは伸長状態で張設されている。
【００２０】
天板２を水平な使用状態にある水平位置から起立位置に揺動する場合は、図３に示すように枢着部Ｐを中心として天板２の手前側を上方に揺動することで後方端が下方に揺動し、補助幕板１５の天板下面との取付部が下方に移動して弛みが生じ補助幕板１５の下面が凸状に屈曲変形する。
【００２１】
このようにして、天板２を起立位置に揺動し保持すると、縦方向に薄形に構成されるので、複数の折り畳みテーブル１を図４に示すように前後に重ねられ、狭い床面上でも数多くテーブルを収容することができる。
【００２２】
また、天板２が水平状態にした使用時にあるときは、補助幕板１５と幕板８により天板２の下方を確実に目隠しすることができ、天板２を起立状態にしたときでも、補助幕板１５が下方に大きく垂れ下がることがなく、幕板８が補強材となるので、脚支柱４、５間に改めて横架材を張設する必要がなく構成が簡素化される。
【００２３】
補助幕板１５は、天板２が略水平な使用位置では、天板２と幕板８間を伸長状態で閉塞し、天板２が略垂直な起立位置では下に凸に屈曲されるよう構成されているので、幼児等が背後から天板２と脚支柱４、５上端の枢着部Ｐに指等を突っ込んで怪我することが阻止でき、天板２が略垂直な起立位置では天板２と幕板８間を塞ぐように下に凸に撓むので、指等を挟む恐れがない。
【００２４】
更に補助幕板１５は、軟質樹脂板またはクロス材で構成されているので、全体が軽量になるとともに、天板２が略水平な位置より略垂直な位置になる時に、屈曲しやすい。
【００２５】
次に、幕板付き折り畳みテーブルの第２実施形態に付き図５を参照して説明する。図５は第２実施形態を示すもので、（ａ）は本実施形態に係る幕板付き折り畳みテーブルの部分正面図であり、（ｂ）は同じく側面図である。尚、上記実施形態における構成部分と同一構成部分は同一符号を付し、重複する説明を省略する。
【００２６】
本実施形態に係る幕板付き折り畳みテーブル１１は、上記実施形態に対し補助幕板２０の構成のみが相違しており、この補助幕板２０は所定厚みの横長矩形状であって、その外表面の幅方向中央に折曲可能な凹溝２０ａを横方向に形成することで一対の半硬質体として構成され、その上端が天板２の後端下面に止着されると共に、その下端は幕板８上端に止着されている。
【００２７】
従って、本実施形態に係る幕板付き折り畳みテーブル１１によれば、補助幕板２０として半硬質のものを使用することで、水平状態の使用時に折り畳みテーブルの強度補強に寄与することができる。
【００２８】
また、図６は第３実施形態に係る幕板付き折り畳みテーブルを示すもので、（ａ）は天板が水平状態にある折り畳みテーブルの側面図であり、（ｂ）は天板が起立状態にある折り畳みテーブルの側面図である。
【００２９】
本実施形態に係る折り畳みテーブル２１は、上記実施形態に比し幕板２５の支持構造が異なるものであって、この幕板２５左右の上下両端部が後述するリンク部材を介してそれぞれ支持された構造になっている。
【００３０】
すなわち、幕板２５左右の下端は、左右両脚支柱４、５の内側面に枢軸３２ａを介して枢着された一対のリンク部材３２上端に枢軸３２ｂを介してそれぞれ枢着され、幕板２５裏面の左右上方に固定された一対のリンク部材３０の上端は、水平状態にある天板２後方の左右下面に取付けられたＬ字形ブラケット３３の下端に枢軸３５を介して枢着されている。
【００３１】
そして、補助幕板２６は、上記のように構成された既存の幕板付き折り畳みテーブル２１における幕板２５上端に対向して天板２後方の下面に取付けられた保持具２７に補助幕板２６上端の丸軸状係止駒２６ａが係止されると共に、補助幕板２６の下端が幕板２５上端に止着された状態で張設される。
【００３２】
一方、両脚支柱４、５上端の枢着部Ｐの下方近傍には一対のリンク部材２８が枢軸２８ａを介して枢着されており、これらリンク部材２８の上端は枢軸２８ｂを介して天板２下面に取付けられた図示しないブラケットの横長孔３４に対し前後に移動可能にそれぞれ係止している。
【００３３】
次に、本実施形態に係る幕板付き折り畳みテーブルの折り畳み操作に付き図６の（ａ）、（ｂ）を参照して説明する。
【００３４】
図６の（ａ）に示すように、折り畳みテーブル２１の天板２は水平な使用位置にあるときは、一対のリンク部材２８上端の枢軸２８ｂは、横長孔３４の右端に当接して水平状態となり、この状態はロックレバーＬにより保持されており、天板２後方の下部は、天板２下面から垂下される補助幕板２６と幕板２５により確実に目隠しされた状態となっている。
【００３５】
この状態から、折り畳みテーブル２１のロックレバーＬの操作によりロックが解除されると、天板２は手前側が枢着部Ｐを中心として上方に揺動すると共に、天板２の後端側下面は、図６の（ｂ）に示す両脚支柱４、５の後方側面に近接するまで揺動する。
【００３６】
これにより、図６の（ｂ）に示すように、補助幕板２６と幕板２５も、リンク部材３０、３２を介して両脚支柱４、５の後方側面に接触するまで移動し、天板２の揺動によって一対のリンク部材２８上端の枢軸２８ｂは、天板２下面の図示しないブラケットの横長孔３４を左方に移動する。
【００３７】
従って、このように既存のリンク部材３０、３２により幕板２５が移動する折り畳みテーブル２１においても、補助幕板２６を取り付けるだけで、容易に改造できる。
【００３８】
次に、図７は第４実施形態に係る幕板付き折り畳みテーブルを示すもので、（ａ）は天板が水平状態にある折り畳みテーブルの側面図であり、（ｂ）は天板が起立状態にある折り畳みテーブルの側面図である。
【００３９】
本実施形態に係る折り畳みテーブル３１は、上記実施形態に比し補助幕板の取付構造が相違するものであって、符号３６で示す補助幕板は、半硬質体の例えば樹脂材で横長矩形状に形成されて、その上端が図示しない枢軸を介して天板２の後方下面に揺動可能に枢着され、その下端が幕板８の上面に重なるよう構成されており、枢軸に装着された捻れコイルバネにより幕板８の上面を押圧付勢している。
【００４０】
従って、上記のように構成された補助幕板３６は、上記のような簡単な取付け構造により、天板２が略水平な使用位置と、略垂直な起立位置との間で回動する際に補助幕板３６の下端は幕板８に常時接触し滑るだけであり、天板２を水平状態にした使用時においても、天板２を起立状態にしたときでも、補助幕板３６と幕板８でテーブル下方を確実に目隠しできると共に、補助幕板３６が常に平板状態を保っているので、硬質板も使用できる。
【００４１】
【発明の効果】
本発明は以下の効果を奏する。
【００４２】
（ａ）請求項１項の発明によれば、天板を水平状態にした使用時において、補助幕板と幕板でテーブル下方を確実に目隠しでき、天板を起立状態にしたときでも、補助幕板が下方に大きく垂れ下がることがなく、幕板が補強材となるので、テーブル脚間に改めて横架材を張設する必要がない。
【００４３】
（ｂ）請求項２項の発明によれば、天板が略水平な使用位置では補助幕板が伸長状態になっているので、幼児等が背後からテーブルの枢着部に指等を突っ込んで怪我することが阻止でき、天板が略垂直な起立位置では天板と幕板間を塞ぐように下に凸に撓むので、指等を挟む恐れがない。
【００４４】
（ｃ）請求項３項の発明によれば、全体が軽量になるとともに、天板が略水平な位置より略垂直な位置になる時に、屈曲しやすい。
【００４５】
（ｄ）請求項４項の発明によれば、補助幕板として半硬質のものを使用することで、水平状態の使用時に折り畳みテーブルの強度補強に寄与できる。
【００４６】
（ｅ）請求項５項の発明によれば、補助幕板を常に平板状態に保つことかできるので、硬質板も使用可能である。
【００４７】
（ｆ）請求項６項の発明によれば、既存のリンク部材により幕板が移動する折り畳みテーブルにおいても、補助幕板を取り付けるだけで、容易に改造できる。
【図面の簡単な説明】
【図１】本発明の第１実施形態を示すもので、幕板付き折り畳みテーブルの部分分解斜視図である。
【図２】水平状態に設定された幕板付き折り畳みテーブルの全体斜視図である。
【図３】起立状態に折り畳まれた幕板付き折り畳みテーブルの全体斜視図である。
【図４】起立状態に折り畳まれた状態で前後に重ねて収容される状態を示す側面図である。
【図５】第２実施形態を示すもので、（ａ）は幕板付き折り畳みテーブルの部分正面図であり、（ｂ）は同じく側面図である。
【図６】第３実施形態に係る幕板付き折り畳みテーブルを示すもので、（ａ）は天板が水平状態にある折り畳みテーブルの側面図であり、（ｂ）は天板が起立状態にある折り畳みテーブルの側面図である。
【図７】第４実施形態に係る幕板付き折り畳みテーブルを示すもので、（ａ）は天板が水平状態にある折り畳みテーブルの側面図であり、（ｂ）は天板が起立状態にある折り畳みテーブルの側面図である。
【符号の説明】
１　　　　　　　　折り畳みテーブル
２　　　　　　　　天板
３　　　　　　　　折曲脚杆
４、５　　　　　　脚支柱
５ａ　　　　　　　脚杆
５ｂ　　　　　　　折曲脚杆
６　　　　　　　　ブラケット
７　　　　　　　　キャスタ
８　　　　　　　　幕板
１０ａ、１０ｂ　　取付片
１１　　　　　　　折り畳みテーブル
１２　　　　　　　止めネジ
１４　　　　　　　フック
１５　　　　　　　補助幕板
１６　　　　　　　係止部
１８　　　　　　　取付ネジ
２０　　　　　　　補助幕板
２０ａ　　　　　　凹溝
２１　　　　　　　折り畳みテーブル
２５　　　　　　　幕板
２６　　　　　　　補助幕板
２６ａ　　　　　　係止駒
２７　　　　　　　保持具
２８　　　　　　　リンク部材
２８ａ、２８ｂ　　枢軸
３０、３２　　　　リンク部材
３１　　　　　　　折り畳みテーブル
３２ａ、３２ｂ　　枢軸
３３　　　　　　　Ｌ字形ブラケット
３４　　　　　　　横長孔
３５　　　　　　　枢軸
３６　　　　　　　補助幕板
Ｌ　　　　　　　　ロックレバー
Ｐ　　　　　　　　枢着部
【図１】
2004135695.tif 000003
【図２】
2004135695.tif 000004
【図３】
2004135695.tif 000005
【図４】
2004135695.tif 000006
【図５】
2004135695.tif 000007
【図６】
2004135695.tif 000008
【図７】
2004135695.tif 000009